(57)【要約】【課題】天井野縁の両端を双方ともに支持できる構造を備えていない住宅ユニットにおいても、天井野縁を安定した状態で住宅ユニットに容易に取付けておくことのできる天井野縁の支持構造を提供する。【解決手段】６面体形状に割付けられ、天井野縁１１の両端を双方ともに支持できる側壁構造１２を備えていない住宅ユニット１３に天井野縁１１を予め取付けておくための支持構造１０であって、間隔をおいて平行に配置される複数の天井野縁１１の両端を各々一体として支持する一対の際野縁１９を取付けて、該一対の際野縁１９の間にこれらと直交する複数の天井野縁１１が梯子状に配置された野縁枠２０を形成し、少なくとも一方の際野縁１８を、床材１４から立設配置された複数の仮設支柱部材２１により支持して、住宅ユニット１３の予定する天井面に沿って野縁枠２０を床材１４の上方に仮固定しておく。【選択図】　　　　図１
2004084355.tif 000002
【特許請求の範囲】
【請求項１】
ユニット住宅を構成する複数の住宅ユニットのうち、６面体形状に割付けられ、天井野縁の両端を双方ともに支持できる構造を備えていない住宅ユニットに天井野縁を予め取付けておくための天井野縁の支持構造であって、
間隔をおいて平行に配置される複数の天井野縁の両端を各々一体として支持する一対の際野縁を当該複数の天井野縁と直交する方向に取付けて、該一対の際野縁の間にこれらと直交する複数の天井野縁が梯子状に配置された野縁枠を形成し、
該野縁枠の少なくとも一方の際野縁を、床材から立設配置された複数の仮設支柱部材により支持して、前記住宅ユニットの予定する天井面に沿って前記野縁枠を前記床材の上方に仮固定しておくことを特徴とする住宅ユニットにおける天井野縁の支持構造。
【請求項２】
前記仮設支柱部材は、前記住宅ユニットの予定する天井面と床材との間に介在する長さを有する支柱本体と、該支柱本体の下端に取付けられる下端ベースプレート部材と、該支柱本体の上端に取付けられる際野縁受け部材とからなり、前記下端ベースプレート部材及び前記際野縁受け部材は、前記支柱本体の両端部に対して進退可能に取付けられて、前記仮設支柱材の長さを調整可能となっている請求項１記載の住宅ユニットにおける天井野縁の支持構造。
【発明の詳細な説明】
【０００１】
【発明の属する技術分野】
本発明は、住宅ユニットにおける天井野縁の支持構造に関し、特にユニット住宅を構成する複数の住宅ユニットのうち、６面体形状に割付けられ、天井野縁の両端を双方ともに支持できる構造を備えていない住宅ユニットに天井野縁を予め取付けておくための天井野縁の支持構造に関する。
【０００２】
【従来の技術及び発明が解決しようとする課題】
近年、住宅建築物の施工の迅速化や高精度化を図るべく、予め工場等で形成された複数の住宅ユニットを建築現場で組立てて構築するユニット住宅が開発されている。このようなユニット住宅においては、形成された各住宅ユニットを例えば運送用のトラック等に積込んで建築現場に搬入し、例えばクレーン等の吊上げ用の重機を用いて吊上げて所定の位置に設置し、他の住宅ユニットと共に接合一体化することによってユニット住宅を組立てる。
【０００３】
また、ユニット住宅は、例えばトラックの荷台等に積込み易いように、住宅内の各空間（部屋等）を分断して、６面体形状に割付けられた住宅ユニットを含む複数の住宅ユニットによって構成される場合が多い。このような６面体形状に割付けられた住宅ユニットでは、天井板が固定される天井野縁を予め取付けておくことが困難であっったり、不完全な状態での天井野縁の取付けを余儀なくされることになる。すなわち、天井野縁を天井の中間部分で支持するための吊木の受材は、一般に上階ユニットの床下の部位に配置されるものであるため、単独のユニットでは天井野縁をその中間部分で支持することが困難である。また天井野縁をこれの端部で支持しようとしても、天井野縁を支持できる壁構造等のユニット周囲の支持構造体は、住宅ユニットの一部にしか存在しないことが多いため、このような支持構造体を一部又は全部に有していない住宅ユニットの側面においては、天井野縁を安定して支持することが困難である。
【０００４】
一方、天井野縁が取付けられていない住宅ユニットでは、ユニットの据付け施工時に天井部分に足場を設けることが困難となり、別途に足場用の施設を設けたり安全ネット等を必要とすることになって、余分な作業が増えることになる。また住宅ユニットを搬送する際に、雨天時等に備えて養生用シートを取付けておく場合には、排水勾配を保持できるように中央部分を山高状にして養生用シートを取付けておくことが困難になる。
【０００５】
本発明は、このような従来の課題に着目してなされたものであり、天井野縁の両端を双方ともに支持できる構造を備えていない住宅ユニットにおいても、天井野縁を安定した状態で住宅ユニットに容易に取付けておくことのできる天井野縁の支持構造を提供することを目的とする。
【０００６】
【課題を解決するための手段】
本発明は、ユニット住宅を構成する複数の住宅ユニットのうち、６面体形状に割付けられ、天井野縁の両端を双方ともに支持できる構造を備えていない住宅ユニットに天井野縁を予め取付けておくための天井野縁の支持構造であって、間隔をおいて平行に配置される複数の天井野縁の両端を各々一体として支持する一対の際野縁を当該複数の天井野縁と直交する方向に取付けて、該一対の際野縁の間にこれらと直交する複数の天井野縁が梯子状に配置された野縁枠を形成し、該野縁枠の少なくとも一方の際野縁を、床材から立設配置された複数の仮設支柱部材により支持して、前記住宅ユニットの予定する天井面に沿って前記野縁枠を前記床材の上方に仮固定しておくことを特徴とする住宅ユニットにおける天井野縁の支持構造を提供することにより、上記目的を達成したものである（請求項１記載の発明）。
【０００７】
また、本発明の住宅ユニットにおける天井野縁の支持構造によれば、前記仮設支柱部材は、前記住宅ユニットの予定する天井面と床材との間に介在する長さを有する支柱本体と、該支柱本体の下端に取付けられる下端ベースプレート部材と、該支柱本体の上端に取付けられる際野縁受け部材とからなり、前記下端ベースプレート部材及び前記際野縁受け部材は、前記支柱本体の両端部に対して進退可能に取付けられて、前記仮設支柱部材の長さを調整可能となっていることが好ましい（請求項２記載の発明）。
【０００８】
【発明の実施の形態】
以下本発明の好ましい実施形態を添付図面を参照しつつ詳細に説明する。図１に示す本発明の第１実施形態に係る住宅ユニットにおける天井野縁の支持構造１０は、一例として枠組壁工法によるユニット住宅を構成する複数の住宅ユニットのうち、６面体形状に割付けられ、天井野縁１１の端部を支持できる構造として例えば側壁構造１２が、対向する一対の側面のうち一方にしか設けられていない住宅ユニット１３に、天井野縁１１を予め安定した状態で取付けて運搬等を行うことができるようにするための支持構造として採用されたものである。
【０００９】
すなわち、本第１実施形態によれば、住宅ユニット１３は、設計されたユニット住宅を複数の領域に割付けられて得られた６面体形状の領域を占める形状を有しており、その底面部には矩形形状の床下地パネル１４等からなる床材１５が設けられていると共に、この床材１５の対向する一対の長辺部のうち一方の長辺部１６にのみ側壁構造１２が設けられ、他方の長辺部１７及び一対の短辺部１８には、いずれも側壁構造が設けられていないことにより、一方の長辺部１６の側壁構造１２以外では、天井野縁１１の端部を支持することができない構造となっている。
【００１０】
本第１実施形態の支持構造１０は、このような天井野縁１１の両端を双方ともに支持できる構造を備えていない住宅ユニット１３に天井野縁１１を予め取付けておくための支持構造であって、間隔をおいて平行に配置される複数の天井野縁１１の両端を各々一体として支持する一対の際野縁１９を当該複数の天井野縁１１と直交する方向に取付けて、該一対の際野縁１９の間にこれらと直交する複数の天井野縁１１が梯子状に配置された野縁枠２０を形成し、この野縁枠２０の側壁構造１２によって支持される一方の際野縁１９とは反対側の他の一方（他方）の際野縁１９を、床材１５から立設配置された複数の仮設支柱部材２１により支持して、住宅ユニット１３の予定する天井面に沿って野縁枠２０を床材１５の上方に仮固定しておくことによって構成されるものである。
【００１１】
天井野縁１１は、例えば縦６０ｍｍ、横４５ｍｍ程度の矩形断面を有する木製棒状部材であって、これを例えば２００〜６００ｍｍ程度の間隔をおいて複数平行に並べると共に、同じ木製棒状部材からなる一対の際野縁１９を天井野縁１１と直交する方向に延設させて、各天井野縁１１の両端をこれらの一対の際野縁１９に各々接合一体化することにより、両端の天井野縁１１及び一対の際野縁１９によって周囲を囲まれる、床下地パネル１４と略相似の矩形形状を有し、且つ床下地パネル１４よりもやや小さな平面形状の野縁枠２０が形成されることになる。なお、野縁枠２０は、接合される他の住宅ユニットとの取り合い等を鑑みて、その形状、大きさが適宜設計されるものであり、床下地パネル１４と同じ形状、大きさとする必要は必ずしもない。
【００１２】
そして、天井野縁１１と際野縁１９とからなる野縁枠２０は、その一方の際野縁１９を、例えば釘、ビス等を介して一方の長辺部１６に立設配置した側壁構造１２の上端内側面に固定して、各天井野縁１１の一端部を支持させると共に、他方の際野縁１９を他方の長辺部１６に立設配置した複数の仮設支柱材２１により支持させて、野縁枠２０を床材１５の上方に当該床材１５と略平行となるように仮固定する。
【００１３】
なお、本第１実施形態によれば、側壁構造１９は、床材１５の上に竪枠、胴縁、上枠、頭つなぎ等の骨組部材を組付けると共に、これらの骨組部材に壁パネル等の壁用面材を取付けることによって、容易に形成されることになる。
【００１４】
そして、本第１実施形態によれば、野縁枠２０の他方の際野縁１９を支持する仮設支柱部材２１は、図２（ａ）〜（ｄ）にも示すように、住宅ユニット１３の予定する天井面と床材１５との間に介在する長さを有する支柱本体２２と、支柱本体２２の下端に取り付けられる下端ベースプレート部材２３と、支柱本体２２の上端に取り付けられる際野縁受け部材２４とからなり、床材１５の他方の長辺部１６に沿って例えば５００〜６００ｍｍのピッチで立設配置されている。また、下端ベースプレート部材２３及び際野縁受け部材２４は、支柱本体２２の両端部に対して進退可能に取り付けられて、仮設支柱部材２１の長さを調整可能となっている。
【００１５】
各支柱本体２２は、例えば縦横３２ｍｍの正方形断面を有する鋼製角形の中空パイプからなり、住宅ユニット１３の予定する天井面と床材１５との間の高さよりも例えば１〜２００ｍｍ程度短い、例えば２０００〜３０００ｍｍ程度の長さを有していると共に、その両端には、雌ねじが切られたナット部材２５が埋設設置されている。
【００１６】
下端ベースプレート部材２３は、例えば直径が３０〜１５０ｍｍ程度の円形の鋼製板状のベースプレート部２６と、ベースプレート部２６の中心部分から上方に突出するボルト部２７とからなる。ベースプレート部２６には、周方向に間隔をおいて複数のビス孔２８が設けられており、これらのビス孔２８にビスを打ち込むことにより床材１５に仮留めして、ベースプレート部２６のズレを回避できるようになっている。ボルト部２７は、その雄ねじ部分を支柱本体２２の下端のナット部材２５に螺合することにより、支柱本体２２の下端に進退可能に取付けられることになる。
【００１７】
際野縁受け部材２４は、例えば平面形状が縦横３０〜１５０ｍｍ程度の正方形となっている鋼製の際野縁受け本体２９と、この際野縁受け本体２９の中心部分から下方に突出するボルト部３０とからなる。際野縁受け本体２９は、正方形の受け面の対向する一対の辺縁部から各々上方に折れ曲がって立設する幅止め片３１を有しており、側方から視てコの字状の断面形状を備えている（図２（ｄ）参照）。際野縁１９は、一対の幅止め片３１の間に挟まれてこれらと略平行に延設した状態で受け面に載置されると共に、野縁枠２０の内側に配置される一方の幅止め片３１の中央部分は矩形形状に切欠かれていて、この切欠き部分３２を介して、受け面に載置された際野縁１９又は際野縁補強材１９’に天井野縁１１の端部を接合させることができるようになっている。なお、際野縁１９は、これの側面に際野縁補強材１９’を取り付けて（図１参照）、当該際野縁補強材１９’とともに際野縁受け本体２９の受け面に載置することにより、一対の幅止め片３１の間に安定した状態で際野縁１９を設置することが可能になる。また、ボルト部３０は、その雄ねじ部分を支柱本体２２の上端のナット部材２５に螺合することにより、支柱本体２２の上端に進退可能に取付けられることになる。
【００１８】
ここで、仮設支柱部材２１を構成する際野縁受け部材としては、例えば図３（ａ），（ｂ）に示すように、際野縁補強材１９’を取り付けることなく際野縁１９単独でも安定した状態で支持できるようにした、両側に張り出した形状の際野縁受け本体３３を有する際野縁受け部材３４や、野縁枠２０のコーナー部分を支持するのに適した断面Ｌ字状の際野縁受け本体３５を有する際野縁受け部材３６等、その他の種々の形状のものを適宜組み合わせて用いることができる。また各際野縁受け本体２９，３３，３５の受け面にバーリング加工を施しておくことにより、バーリング加工の爪が際野縁１９や際野縁補強材１９’の下面に食い込んで、運搬時や据付け作業時における際野縁１９のずれを効果的に防止することが可能になると共に、際野縁受け部材２４，３４，３６の固定作業を容易に行うことが可能になる。
【００１９】
また、本第１実施形態によれば、一方の長辺部１６以外には側壁構造１２が設けられていない住宅ユニット１３の吊上げ作業を容易にするために、一対の仮設吊り支柱３７と仮設支持梁３８と一対の吊上げ支持金具３９とからなる門型支持枠４０が住宅ユニット１３の短辺部１８に取付けられると共に、側壁構造１２が床材１５に対して垂直に立設している状態を保持・調整するための、杆状本体４１と、杆状本体４１の両端に螺合装着される水平固定部４２及び垂直固定部４３とからなる垂直保持具４４が住宅ユニット１３に取付けられる。
【００２０】
そして、本第１実施形態によれば、天井野縁１１の端部を支持できる側壁構造１２が一対の長辺部１６，１７の一方にしか設けられていない住宅ユニット１３においても、天井野縁１１を安定した状態で容易に取付けておくことができる。すなわち、本第１実施形態によれば、間隔をおいて平行に配置される複数の天井野縁１１の両端を各々一対の際野縁１９に接合して野縁枠２０を形成すると共に、側壁構造１２によって支持されない野縁枠２０の一方の際野縁１９を、床材１５から立設配置された複数の仮設支柱部材２１によって支持するといった簡易な構成により、予定する天井面に沿って野縁枠２０を床材１５の上方に容易に仮固定して、複数の天井野縁１１を安定した状態で住宅ユニット１３に取付けておくことが可能なる。
【００２１】
また、本第１実施形態によれば、仮設支柱部材２１を構成する支柱本体２２の両端のナット部材２５に各々螺合される、下端ベースプレート部材２３のボルト部２７と際野縁受け部材２４のボルト部３０とは、左ネジと右ネジの反対方向のネジの組み合わせとなっている。これによって、支柱本体２２を回転することにより、下端ベースプレート部材２３と際野縁受け部材２４とを同時に進退させて仮設支柱部材２１の長さを調整することにより、野縁枠２０を床材１５に対して略平行な状態となるように容易に調整することが可能になる。
【００２２】
さらに、本第１実施形態によれば、据付け作業に先立って、住宅ユニット１３には予め天井野縁１１が取付けられているので、この天井野縁１１に支持させて上面に作業用の足場を設けることができ、据付け作業やその他の作業を、この足場を利用して容易に行うことが可能になると共に、天井野縁１１を介して天井板を予め取付けた状態で、天井ユニット１３を施工現場に搬入することも可能になる。また天井野縁１１に支持させて、養生用シートを、排水勾配を保持させつつ天井ユニット１３の上面に容易に取付けておくことも可能になる。
【００２３】
そして、施工現場に住宅ユニット１３が据付けられると共に、他の住宅ユニットと接合されて、野縁枠２０をユニット住宅の本体構造に固定したら、支柱本体２２を回転させることにより仮設支柱部材２１を縮めて野縁枠２０から取外す。取外した仮設支柱部材２１は、住宅ユニット１３から撤去されることになる。
【００２４】
なお、本発明は上記第１実施形態に限定されることなく種々の変更が可能である。例えば、野縁枠の際野縁を支持する側壁構造等の支持構造体が野縁枠の両側のいずれにも設けられていない場合でも、際野縁を全て仮設支柱部材によって支持して、本発明の天井野縁の支持構造とすることもできる。また、仮設支柱部材は、上述のような構成を有している必要は必ずしもなく、下端プレート部材や際野縁受け部材が支柱本体に対して進退可能に取付けられている必要は必ずしもない。さらに、際野縁の両端部分にこれと直交する天井野縁が取付けられている必要は必ずしもない。
【００２５】
【発明の効果】
本発明の天井野縁の支持構造によれば、天井野縁の両端を双方ともに支持できる構造を備えていない住宅ユニットにおいても、天井野縁を安定した状態で住宅ユニットに容易に取付けておくことができる。
【図面の簡単な説明】
【図１】本発明の第１実施形態に係る天井野縁の支持構造したの住宅ユニットの略示斜視図である。
【図２】仮設支柱部材の構成を説明する（ａ）は正面図、（ｂ）は上面図、（ｃ）は（ａ）のＡ−Ａに沿った断面図、（ｄ）は部分側面図である。
【図３】（ａ）及び（ｂ）は仮設支柱部材を構成する際野縁受け部材の他の実施態様を説明する斜視図である。
【符号の説明】
１０　天井野縁の支持構造
１１　天井野縁
１２　側壁構造
１３　住宅ユニット
１５　床材
１６　一方の長辺部
１７　他方の長辺部
１８　短辺部
１９　際野縁
１９’　際野縁補強材
２０　野縁枠
２１　仮設支柱部材
２２　支柱本体
２３　下端ベースプレート部材
２４，３４，３６　際野縁受け部材
２５　ナット部材
２７，３０　ボルト部
【図１】
2004084355.tif 000003
【図２】
2004084355.tif 000004
【図３】
2004084355.tif 000005